(57)【要約】  本明細書では、ワクチン製剤の有効性及び効力を決定するための組成物及び方法が説明される。免疫化された動物からの脾臓細胞が、単離され凍結される。アリコートを解凍すると、試験されるワクチン製剤の一連の希釈物、及び、公知の特性を有する参照ワクチンの一連の希釈物に曝露することにより、これらの細胞が、再活性化される。免疫原−特異的抗体を分泌する細胞、及び、非特異的抗体を分泌する細胞を計数し、産生される免疫原−特異的及び非特異的抗体の量も測定する。前記ワクチン製剤からの結果間を比較することにより、相対的なワクチンの有効性及び／又は効力を測定できる。
2021522476.tif 000002
【特許請求の範囲】
【請求項１】
ワクチン製剤の効力を特性決定する方法であって、
参照ワクチンで動物にワクチン接種する工程、
前記動物から脾臓細胞又はＢ細胞を収集する工程、
前記脾臓細胞又は前記Ｂ細胞の第１部分を、第１セットの前記参照ワクチンの段階希釈物に曝露する工程、
前記脾臓細胞又は前記Ｂ細胞の第２部分を、第２セットの前記ワクチン製剤の段階希釈物に曝露する工程、
前記第１セットの段階希釈物に対して前記ワクチン製剤の第１抗原に特異的な抗体を発現する、前記第１部分における細胞の第１の数と、前記第１セットの段階希釈物に対して非特異的な抗体を発現する、前記第１部分における細胞の第２の数とを決定する工程、
前記第２セットの段階希釈物に対して前記第１抗原に特異的な抗体を発現する、前記第２部分における細胞の第３の数と、前記第１セットの段階希釈物に対して非特異的な抗体を発現する、前記第２部分における細胞の第４の数とを決定する工程、及び、
前記第１の数を前記第３の数と比較する工程、を含む、方法。
【請求項２】
前記第２の数を前記第４の数と比較する工程を更に含む、請求項１に記載の方法。
【請求項３】
前記第１の数及び前記第２の数が、第１の共通の試験表面を使用して決定される、請求項１又は２に記載の方法。
【請求項４】
前記第３の数及び前記第４の数が、第２の共通の試験表面を使用して決定される、請求項１から３のいずれか１項に記載の方法。
【請求項５】
前記第１の数が、第１標識を含む第１イムノアッセイを使用して決定され、前記第２の数が、第２標識を含む第２イムノアッセイを使用して決定され、ここで前記第１標識及び前記第２標識が、局在化され識別可能な、請求項１から４のいずれか１項に記載の方法。
【請求項６】
前記第２の数が、第３標識を含む第１イムノアッセイを使用して決定され、前記第２の数が、第４標識を含む第４イムノアッセイを使用して決定され、ここで前記第３標識及び前記第４標識が、局在化され識別可能な、請求項１から６のいずれか１項に記載の方法。
【請求項７】
前記第１イムノアッセイが、抗体プラークアッセイである、請求項５又は６に記載の方法。
【請求項８】
前記比較する工程が、
前記第１セットの段階希釈物の２つ以上のメンバについて、前記第１の数と前記第２の数との間の第１の一連の比率を決定する工程、
前記第２セットの段階希釈物の２つ以上のメンバについて、前記第３の数と前記第４の数との間の第２の一連の比率を決定する工程、
それぞれの希釈物に対する前記第１の一連の比率の第１関数を決定する工程、
それぞれの希釈物に対する前記第２の一連の比率の第２関数を決定する工程、及び、
前記第１関数及び前記第２関数を比較する工程、を含む、請求項２から７のいずれか１項に記載の方法。
【請求項９】
前記第１関数及び前記第２関数の両方が、勾配関数である、請求項８に記載の方法。
【請求項１０】
前記ワクチン製剤が、第２ワクチン抗原を含む、請求項１から９のいずれか１項に記載の方法。
【請求項１１】
前記ワクチン製剤の前記第２抗原に特異的な抗体を発現する、前記第１部分における細胞の第５の数を決定する工程、
前記第２抗原に特異的な抗体を発現する、前記第２部分における細胞の第６の数を決定する工程、及び、
前記第１セットの段階希釈物の少なくとも１つに対する前記第５の数と前記第２の数との間の第３比率を、前記第２セットの段階希釈物の少なくとも１つに対する前記第６の数と前記第４の数との間の第６比率と比較する工程、を更に含む、請求項１０に記載の方法。
【請求項１２】
前記第５の数及び前記第２の数が、第１の共通の試験表面を使用して決定される、請求項１１に記載の方法。
【請求項１３】
前記第６の数及び前記第４の数が、第２の共通の試験表面を使用して決定される、請求項１１又は１２に記載の方法。
【請求項１４】
前記第５の数が、第５標識を含む第５イムノアッセイを使用して決定され、前記第２の数が、第２標識を含む第２イムノアッセイを使用して決定され、ここで前記第５標識及び前記第２標識が、局在化され識別可能な、請求項１１から１３のいずれか１項に記載の方法。
【請求項１５】
前記第６の数が、第６標識を含む第６イムノアッセイを使用して決定され、前記第２の数が、第４標識を含む第４イムノアッセイを使用して決定され、ここで前記第６標識及び前記第４標識が、局在化され識別可能な、請求項１１から１４のいずれか１項に記載の方法。
【請求項１６】
前記第５イムノアッセイが、抗体プラークアッセイである、請求項１４又は１５に記載の方法。
【請求項１７】
前記ワクチン製剤が、予防用ワクチンを含む、請求項１から１６のいずれか１項に記載の方法。
【請求項１８】
前記ワクチン製剤が、アデノウイルス、炭疽病、ボツリヌス中毒症、コレラ、ジフテリア、Ａ型肝炎、Ｂ型肝炎、Ｃ型肝炎、ヘモフィルス・インフルエンザｂ型菌、ヒト乳頭腫ウイルス、季節性インフルエンザ、日本脳炎、はしか、髄膜炎菌、流行性耳下腺炎、百日咳、肺炎球菌、ポリオ、狂犬病、ロタウイルス、風疹、帯状疱疹、天然痘、破傷風、結核、腸チフス、水痘、及び黄熱病からなるグループの少なくとも１つの対象とするワクチン種を含む、請求項１７に記載の方法。
【請求項１９】
前記ワクチン製剤が、治療用ワクチンを含む、請求項１から１８のいずれか１項に記載の方法。
【請求項２０】
前記ワクチン製剤が、グリア芽腫、子宮頸癌、皮膚癌、肺癌、乳癌、頭頸部癌、膵臓癌、セリアック病、及び外陰膣カンジダ症からなるグループの少なくとも１つを対象とするワクチン種を含む、請求項１９に記載の方法。
【発明の詳細な説明】
【技術分野】
【０００１】
本願は、２０１９年１月３１日に出願された米国仮出願第６２／７９９，４５７号、２０１８年９月２１日に出願された米国仮出願第６２／７３４，８６６号、及び２０１８年４月１８日に出願された米国仮出願第６２／６５９，５９２号の利益を主張する。これら及び他のすべての参照外部材料は、その全体として参照により本明細書に組み込まれる。参照により組み込まれる参照における用語の定義又は使用が、本明細書に提供されるその用語の定義に矛盾するか又は反する場合、本明細書に提供されるその用語の定義が、支配的であると見なされる。
【０００２】
本発明の分野は、ワクチン、具体的には、予防的（ｐｒｏｐｈｙｌａｃｔｉｃ）及び／又は予防的（ｐｒｅｖｅｎｔａｔｉｖｅ）ワクチン製剤の免疫原性及び／又は効力を決定するための方法である。
【背景技術】
【０００３】
背景技術の説明は、本発明を理解するのに有用であり得る情報を含む。本明細書で提供される情報のいずれかが先行技術であるか、又は現在請求されている発明に関連していること、又は具体的又は暗黙的に参照されているいずれかの出版物が先行技術であることを認めるものではない。
【０００４】
製造中に注意が払われているにもかかわらず、ワクチン製剤の効力はバッチごとに異なる可能性がある。従って、ワクチンが、必要な免疫応答を提供できることを保証するために、個々のバッチの効力を決定する必要がある。従来、これは免疫拡散アッセイを使用して決定される。これらのアッセイでは、ゲルマトリックス（通常、ワクチン抗原に対する抗体と混合されたアガロース）が調製され、支持体上にキャスト（ｃａｓｔ）される。前記ゲルマトリックスの一部を除去して試験ウェルを生成し、そこにワクチン製剤の試料及び定量化された標準物質を配置する。抗原の拡散は、これらの試験ウェルから外側に向かって進行し、抗体に対する抗原の比率が正確な場合、可視の沈殿物が形成される。前記試験ウェルからの前記沈殿物のこの距離は、前記ウェルに配置された前記試料の抗原濃度に比例する。ワクチン製剤中の抗体応答性物質を同定するのに効果的であるが、効力の定量化へのこのようなアプローチは比較的遅く、いくらか主観的である可能性がある。更に、このアプローチは、使用される特定の抗体が対象とする抗原を特性決定するのに役立つだけにすぎず、ワクチン製剤の免疫原性の直接的な指標は提供されない。
【０００５】
ワクチン効力を評価するための他のアプローチが示唆されている。米国特許第９，０５７，７１６号（Ｂａｌｏｃｃｈｉら）（特許文献１）及び米国特許出願公開第２０１５／０３０１０５１号（Ｇｉｕｌｉａｎｉ及びＭｏｒｉ）（特許文献２）は、髄膜炎菌抗原を対象とする殺菌性抗体を組み込む酵素イムノアッセイを使用して髄膜炎菌ワクチンの効力を特性決定することを記載している。本明細書のすべての出版物は、個々の出版物又は特許出願が参照により組み込まれることが具体的かつ個別に示されている場合と同程度に、参照により組み込まれる。組み込まれる参照における用語の定義又は使用が、本明細書に提供されるその用語の定義と矛盾するか又は反している場合、本明細書に提供されるその用語の定義が適用され、参照におけるその用語の定義は適用されない。しかし、そのようなアプローチでは、ワクチン製剤中のこれらの特定の抗原の量が単に定量化されるだけであり、無処理（ｉｎｔａｃｔ）の調製物の免疫原性を直接測定できない。
【０００６】
国際公開第２０１７／００５８８０号（Ｗｅｎら）（特許文献３）には、処理中に変性させたＨＡ抗原とトリプシン消化へのそれらの本来のコンフォメーションを保持したものとの感受性の違いに基づいて、インフルエンザワクチンの免疫原性を特性決定する試みが記載されている。ただし、説明されている方法は引き続き免疫拡散に依存しており、そのアプローチの限界が残されている。更に、このアプローチが多種多様なワクチンで使用できることは明らかではない。
【０００７】
米国特許出願公開第２０１４／０１４１４５５号（Ｗｅｉｄａｎｚ）（特許文献４）には、ペプチド−ＨＬＡ複合体を対象にする非常に特異的な抗体を使用して、抗原提示細胞の表面上のそのようなペプチド−ＨＬＡ複合体の密度を視覚化することによってワクチン効力を決定する方法が記載されている。しかし、そのようなアプローチは、必要な抗体を生成する能力に依存しており、無処理のワクチン製剤の効力を測定できるのではなく、抗原提示の程度の測定を提供できるにすぎない。
【先行技術文献】
【特許文献】
【０００８】
【特許文献１】米国特許第９，０５７，７１６号
【特許文献２】米国特許出願公開第２０１５／０３０１０５１号
【特許文献３】国際公開第２０１７／００５８８０号
【特許文献４】米国特許出願公開第２０１４／０１４１４５５号
【発明の概要】
【発明が解決しようとする課題】
【０００９】
従って、ワクチン製剤の免疫原性及び／又は効力を直接評価するための方法が依然として求められている。
【課題を解決するための手段】
【００１０】
（発明の概要）
本発明の主題は、ワクチン組成物の相対的な効力を決定するための組成物及び方法を提供することである。免疫化マウスから脾臓細胞を収集し、凍結前に任意にＣＤ１３８を枯渇させる。ワクチン製剤の効力を決定するために、凍結脾臓細胞の一部を解凍し、次いで、試験ワクチン製剤及び公知の効力の対照ワクチン製剤の段階希釈物を使用して活性化させる。免疫化抗原に特異的な抗体を発現する細胞の数を、希釈物ごとに決定し（場合によっては、抗体を産生する細胞の総数に対して）、得られた用量応答曲線を使用して、前記試験ワクチンの効力を決定する。
【００１１】
本発明概念の１つの実施形態は、参照ワクチンを動物に接種し、前記動物から脾臓細胞又はＢ細胞を収集し、前記脾臓細胞又はＢ細胞の一部分を、第１セットの参照ワクチンの段階希釈物に曝露し、脾臓細胞又はＢ細胞の別の部分を、第２セットの前記ワクチン製剤の段階希釈物に曝露し、前記参照ワクチンの前記希釈物に対してワクチン製剤の抗原に特異的な抗体を発現している前記参照ワクチンに曝露された前記部分からの細胞の数を決定し、前記参照ワクチンの前記希釈物に対して非特異的な抗体を発現している前記参照ワクチンに曝露された前記部分からの細胞の数を決定し、前記試験ワクチンの前記希釈物に対して前記抗原に特異的な抗体を発現している前記試験ワクチンに曝露された前記部分からの細胞の数を決定し、前記試験ワクチンの前記希釈物に対して非特異的な抗体を発現している前記試験ワクチンに曝露された前記部分における細胞の数を決定し、前記参照ワクチン及び前記試験ワクチンに曝露された前記細胞からの抗原に特異的な結果を比較することにより、ワクチン製剤の効力を特性決定する方法である。いくつかの実施形態において、前記参照ワクチン及び前記試験ワクチンに曝露された前記細胞からの非特異的抗体の結果も比較される。いくつかの実施形態では、抗原特異的抗体の結果及び非特異的抗体の結果は、同一の試験表面上で決定される。そのような実施形態において、抗原特異的及び非特異的抗体を決定するために使用される方法では、局在化された分別可能な標識が使用され得る。いくつかの実施形態において、前記参照ワクチンに曝露された細胞及び前記試験ワクチンに曝露された細胞の段階希釈物の２つ以上のセットについての非特異的抗体に対する抗原特異的抗体の比率が、比較の基礎として使用され得る。対応する参照ワクチン希釈物に対するそのような比率間の関係を描写する関数（例えば、第１の傾き）と、対応する試験ワクチン希釈物に対するそのような比率間の関係を描写する異なる関数（例えば、第２の傾き）との間の関係が、比較の基礎として使用され得る。
【００１２】
本発明概念のいくつかの実施形態では、特性決定される当該ワクチン製剤は、第２のワクチン抗原を含んでもよい。そのような実施形態では、収集された脾臓細胞又はＢ細胞の一部分が、第３セットの参照ワクチンの段階希釈物に曝露され、脾臓細胞又はＢ細胞の別の部分が、第４セットの前記ワクチン製剤の段階希釈物に曝露される。前記参照ワクチンの前記希釈物に関して非特異的抗体を発現している前記参照ワクチンに曝露された前記部分からの細胞の数だけでなく、前記参照ワクチンの希釈物に関して前記ワクチン製剤の前記第２の抗原に特異的な抗体を発現している前記参照ワクチンに曝露された前記部分からの細胞の数も、決定される。同様に、前記試験ワクチンの前記希釈物に関して非特異的抗体を発現している前記試験ワクチンに曝露された前記部分における細胞の数だけでなく、前記試験ワクチンの希釈物に関して前記第２の抗原に特異的な抗体を発現する、前記試験ワクチンに曝露された前記部分からの細胞の数も、決定される。次いで、前記参照ワクチン及び前記試験ワクチンに曝露された前記細胞からの第２の抗原特異的な結果が比較される。いくつかの実施形態において、前記参照ワクチン及び前記試験ワクチンに曝露された前記細胞からの非特異的抗体の結果も比較される。いくつかの実施形態では、第２の抗原特異的抗体及び非特異的抗体の結果は、同一の試験表面で決定される。そのような実施形態において、第２の抗原特異的及び非特異的抗体を決定するために使用される方法では、局在化された分別可能な標識が使用され得る。いくつかの実施形態では、第１の抗原特異的抗体、第２の抗原特異的抗体、及び非特異的抗体に対する試験は、同一の試験表面で行われる。そのような実施形態では、相互に分別可能で局在化可能な標識を使用して、第１の抗原特異的抗体、第２の抗原特異的抗体、及び非特異的抗体の結果間を識別することができる。いくつかの実施形態において、前記参照ワクチンに曝露された細胞及び前記試験ワクチンに曝露された細胞の段階希釈物の２つ以上のセットについての非特異的抗体に対する第２抗原特異的抗体の比率が、比較の基礎として使用され得る。対応する参照ワクチン希釈物に対するそのような比率間の関係を描写する関数（例えば、第３の傾き）と、対応する試験ワクチン希釈物に対するそのような比率間の関係を描写する異なる関数（例えば、第４の傾き）との間の関係が、比較の基礎として使用され得る。
【００１３】
本発明の概念のいくつかの実施形態では、前記ワクチン製剤は、予防用ワクチンを含む。このような予防用ワクチンは、アデノウイルス、炭疽病、ボツリヌス中毒症、コレラ、ジフテリア、Ａ型肝炎、Ｂ型肝炎、Ｃ型肝炎、ヘモフィルス・インフルエンザｂ型菌、ヒト乳頭腫ウイルス、季節性インフルエンザ、日本脳炎、はしか、髄膜炎菌（Ｍｅｎｉｎｇｏｃｏｃｃｕｓ）、流行性耳下腺炎、百日咳、肺炎球菌（Ｐｎｅｕｍｏｃｃｏｃｕｓ）、ポリオ、狂犬病、ロタウイルス、風疹、帯状疱疹、天然痘、破傷風、結核、腸チフス、水痘、及び／又は黄熱病を対象とし得る。いくつかの実施形態において、前記ワクチン製剤は、治療用ワクチンを含む。そのような治療用ワクチンは、グリア芽腫、子宮頸癌、皮膚癌、肺癌、乳癌、頭頸部癌、膵臓癌、セリアック病、及び／又は外陰膣カンジダ症を対象とし得る。
【００１４】
本発明の主題の様々な目的、特徴、態様及び利点は、好ましい実施形態の以下の詳細な説明、並びに同様の数字が同様の構成要素を表す添付の図面から、より明らかになるであろう。
【図面の簡単な説明】
【００１５】
【図１】従来技術の抗体プラークイムノアッセイを概略的に示す。
【図２】従来技術の抗体プラークイムノアッセイからの典型的な結果を示す。
【図３】脾臓細胞を使用してワクチンの効力を決定するための例示的なプロトコルのフローチャートを示す。
【図４Ａ】本発明概念の脾臓細胞アッセイからのＨｃＲ／Ａ抗原抗体プラークイムノアッセイプレートのスキャン画像である。脾臓細胞は、５×１０４（左上の象限）、２．５×１０４（右上の象限）、１０４（左下の象限）、又は５×１０３（右下の象限）の細胞／ウェルのいずれかでコーティングされる。
【図４Ｂ】図４Ａに示されるプレートから得られたデータによって生成された典型的な用量応答曲線を示す。ＴＳ＝ＨｃＲ／Ａ調製物の試験試料、ＳＣ＝ＨｃＲ／Ａ調製物の対照試料。
【図４Ｃ】本発明概念の方法によって決定されるような試験及び参照抗原調製物の相対的な効力の例を示す。
【図５Ａ】本発明概念の方法で使用するための試験抗体プラークイムノアッセイプレートレイアウトの例を示す。
【図５Ｂ】刺激された脾臓細胞によるＩｇＧ分泌が視覚化されている、図５Ａのように調製された抗体プラークイムノアッセイプレートのスキャン画像を示す。
【図５Ｃ】刺激された脾臓細胞によるＨｃＲ／Ａ特異的抗体分泌が視覚化されている、図５Ａのように調製された抗体プラークイムノアッセイプレートのスキャン画像を示す。
【図５Ｄ】抗体プラークイムノアッセイプレートからの典型的な個々のウェルの拡大図を示す。
【図５Ｅ】図５Ａのように調製されたＥＬＩＳｐｏｔプレートにおける脾臓細胞からのＩｇＧ分泌の用量応答曲線、算出されたＥＣ５０、及び算出された相対的な効力を示す。
【図５Ｆ】図５Ａのように調製された抗体プラークイムノアッセイプレートにおける脾臓細胞からのＨｃＲ／Ａ特異的抗体分泌の用量応答曲線、算出されたＥＣ５０、及び算出された相対的な効力を示す。
【図６Ａ】本発明概念の脾臓細胞ワクチン効力アッセイで使用するための試験抗体プラークイムノアッセイプレートレイアウトの例を示す。
【図６Ｂ】刺激された脾臓細胞によるＩｇＧ分泌が視覚化される、図６Ａのように調製された抗体プラークイムノアッセイプレートのスキャン画像を示す。
【図６Ｃ】刺激される脾臓細胞によるＨｃＲ／Ａ特異的抗体分泌が視覚化される、図６Ａのように調製された抗体プラークイムノアッセイプレートのスキャン画像を示す。
【図６Ｄ】図６Ａのように調製された抗体プラークイムノアッセイプレートにおける脾臓細胞からのＩｇＧ分泌についての用量応答曲線、算出されたＥＣ５０、及び算出された相対的な効力を示す。
【図６Ｅ】図６Ａのように調製された抗体プラークイムノアッセイプレートにおける脾臓細胞からのＨｃＲ／Ａ特異的抗体分泌についての用量応答曲線、算出されたＥＣ５０、及び算出された相対的な効力を示す。
【図７Ａ】本発明概念の脾臓細胞アッセイを使用してワクチン効力を決定する際に使用するための試験マイクロウェルプレートレイアウトの例を示す。
【図７Ｂ】刺激された脾臓細胞によるＩｇＧ分泌が視覚化される、図７Ａのように調製された抗体プラークイムノアッセイプレートのスキャン画像を示す。
【図７Ｃ】刺激された脾臓細胞によるＨｃＲ／Ａ特異的抗体分泌が視覚化される、図７Ａのように調製された抗体プラークイムノアッセイプレートのスキャン画像を示す。
【図７Ｄ】様々な細胞密度で活性化された脾臓細胞からの図７Ａのように調製されたＥＬＩＳｐｏｔプレートにおける脾臓細胞からのＩｇＧ分泌についての用量応答曲線、算出されたＥＣ５０、及び算出された相対的な効力を示す。
【図７Ｅ】様々な細胞密度で活性化された脾臓細胞からの図７Ａのように調製された抗体プラークイムノアッセイプレートにおける脾臓細胞からのＨｃＲ／Ａ特異的抗体分泌についての用量応答曲線、算出されたＥＣ５０、及び算出された相対的な効力を示す。
【発明を実施するための形態】
【００１６】
（詳細な説明）
以下の説明は、本発明を理解するのに有用であり得る情報を含む。本明細書に記載されている情報のいずれかが、先行技術であるか又は主張されている発明に関連していること、又は具体的若しくは暗黙的に参照されるいずれかの出版物が先行技術であることを認めるものではない。
【００１７】
以下の検討により、本発明の主題の多くの例示的な実施形態が提供される。各実施形態は、本発明の要素の単一の組み合わせを表すが、本発明の主題は、開示された要素のすべての可能な組み合わせを含むと見なされる。従って、１つの実施形態が要素Ａ、Ｂ、及びＣを含み、第２の実施形態が要素Ｂ及びＤを含む場合、本発明の主題はまた、明確に開示されなくても、Ａ、Ｂ、Ｃ、又はＤの他の残りの組み合わせを含むと見なされる。
【００１８】
本明細書に開示される本発明の代替要素又は実施形態のグループ化は、限定として解釈されるべきではない。各グループメンバは、個別に、又はグループの他のメンバ若しくは本明細書に見られる他の要素と任意の組み合わせで、参照及び請求することができる。グループの1つ以上のメンバは、利便性及び／又は特許性の理由から、グループに含めるか、グループから削除することができる。そのような包含又は削除がある場合、本明細書では、明細書は、変更されたグループを含み、従って、添付の特許請求の範囲で使用されるすべてのマーカッシュグループの記載の説明を満たすと見なされる。
【００１９】
本発明の主題は、免疫原性であり基準に合う効力を有することが公知のワクチンの参照バッチで、マウス又は同様の試験動物がワクチン接種される、組成物及び方法を提供する。脾臓細胞及び／又はＢ細胞は、前記ワクチン接種された動物から得られ、いくつかの実施形態では、そのような試料のＢ細胞集団を、富化又は枯渇させることができる（例えば、現存する形質細胞の枯渇）。適切な細胞は、脾臓の切開及び／又は灌流、１つ以上のリンパ節の切開、及び／又は、循環からの収集を含む、様々な手段により得ることができる。脾臓細胞又はＢ細胞は、抗体でコーティングされた磁気ビーズ、蛍光活性化セルソーティング、又は任意の適切な方法を使用して単離できる。分離後、細胞はすぐに使用されるか、使用前に複製され得る。いくつかの実施形態において、単離された細胞は、使用前に保存され得る（例えば、約−８０℃、又は液相若しくは気相の液体窒素で保存され得る）。
【００２０】
試験のために、細胞を２つのセットの試験部位又は表面にプレーティングし、そのうちの１つはワクチン抗原に対する抗体の分泌を特性決定するために使用され、もう１つは非特異的（すなわち、ワクチン抗原を対象としない）抗体の分泌を特性決定するために使用される。適切な試験表面には、スライド、マイクロウェルプレートのウェルの表面、ビーズ、及び／又は、マイクロ流体デバイスの表面が含まれる。
【００２１】
試験されるワクチンの段階希釈物は、１つのセットの細胞に適用され、一方、前記参照ワクチンの段階希釈物は、第２セットの細胞に適用される。いくつかの実施形態では、ワクチン製剤への曝露（インヴィボ又はインヴィトロのいずれかで）によってあらかじめ感作された細胞が試験に利用される。そのような実施形態において、これらのあらかじめ感作された細胞は、ワクチンバッチ効力を決定するために、試験及び／又は対照ワクチン製剤への曝露によって再活性化され得る。いくつかの実施形態において、そのような再活性化は、（例えば、ＥＬＩＳｐｏｔ（商標）などの抗体プラークアッセイを使用して）抗体分泌検出のための方法に前記細胞を適用する前に実施され得る。他の実施形態では、そのような再活性化は、抗体分泌を検出するための方法の実施の少なくとも一部の間に実施され得る。ワクチン抗原特異的抗体を分泌する細胞の数は、（例えば、局在シグナルを生成するワクチン抗原特異的抗体を対象とするサンドイッチアッセイを使用して）特性決定され、非特異的抗体を分泌する細胞の数は、（例えば、局在シグナルを生成する種特異的抗体を対象とするサンドイッチアッセイを使用して）特性決定される。
【００２２】
ワクチン抗原特異的抗体を分泌する細胞のパーセンテージの滴定曲線の傾き（参照ロットのワクチンを使用して刺激される細胞により生成される応答に対する）により、ワクチンの効力（すなわち、抗原特異的抗体応答を誘導する能力）を直接測定できるようになる。例えば、試験ワクチン試料と参照ワクチン試料の滴定によって作成された用量応答曲線の比較では、例えば、それぞれの滴定曲線において中点応答（ＥＣ５０、瞬間（ｉｎｓｔａｎｔ）中点傾きなど）を提供する希釈物を比較することによって、ワクチン効力を相対的に測定できる。このような値を参照ワクチンの値と比較することで、試験ワクチンの使用への適合性を測定できる。
【００２３】
いくつかの実施形態において、ワクチン製剤への曝露に応答して産生される特異的及び非抗原特異的抗体の両方が、評価され得る。そのような実施形態において、抗原特異的応答を引き起こす試験ワクチンの能力が、参照ワクチンと比較され得る。ワクチン製剤により誘発される非特異的抗体応答の程度により、ワクチン製剤の非抗原成分（アジュバントなど）の効力に関連する情報が得られる。例えば、試験ワクチンの非特異的抗体応答に対する特異的抗体応答の比率の決定が、参照ワクチンのその比率の決定と比較でき、効力が決定される。
【００２４】
開示される技術により、比較的少数の試験動物を使用してのワクチン効力の直接測定が可能になることを含む、多くの有益な技術的効果が提供されることが、理解されるべきである。例えば、単一の免疫化マウスから単離された脾臓細胞が、保存され、複数の決定に使用され得る。更に、説明されるアプローチにより、無処理のワクチン製剤（例えば、ビヒクル及びアジュバントを含む）の免疫原性／効力が測定できるが、従来技術のアプローチは、特定の成分（例えば、ワクチン抗原）のみを特性決定するものであった。出願人は、このアプローチは、非常に適応性があり、ワクチン接種又は抗原種の範囲に関して限定されないことに留意する。
【００２５】
上記のように、イムノアッセイを使用して、ワクチン製剤への曝露に応答して所望の特異性を有する抗体を分泌するＢ細胞を計数及び／又は特性決定することができる。例えば、所望の抗原に対する抗体の分泌は、一般にＥＬＩＳｐｏｔ（商標）又は抗体プラークアッセイと呼ばれるものにおいて、分泌された免疫グロブリンを捕捉するために抗種抗体（ａｎｔｉ―ｓｐｅｃｉｅｓ  ａｎｔｉｂｏｄｙ）でコーティングされたそのような細胞に近位な表面（例えば膜）を使用して検出され得る。次いで、前記捕捉された免疫グロブリンは、特定の抗原（又はその標識されたアナログ）を捕捉する役割を果たし得る。そのような捕捉された特異的抗原は、第２抗原特異的抗体を使用して（例えば、サンドイッチアッセイにおいて）、又は、捕捉された抗原アナログに付着する標識を視覚化することによって、視覚化され得る。非特異的抗体の分泌は、種特異的抗体のペアを使用して同様の方法で検出され得る。あるいは、分泌される抗原特異的及び／又は非特異的抗体の量は、例えばイムノアッセイによって、刺激された脾臓細胞に曝露された細胞培養培地の試料から特性決定され得る。
【００２６】
抗体プラークアッセイが説明されているが、他の技法も利用することができる。例えば、逆溶血性プラークアッセイを使用して、抗体分泌細胞を計数し、分泌されている抗体の量の推定値を得ることができる。補体への曝露及びそれに続く陰性プラーク形成の前に、Ｉｇ特異的抗体又は特異的抗原（又は適切なアナログ）のいずれかへの曝露により、非特異的抗体分泌と特異的抗体分泌とを区別することができる。あるいは、試料を分割し、検出可能な標識（例えば、蛍光化合物）でコンジュゲートされた抗Ｉｇ抗体（非特異的抗体分泌用）又は抗原若しくは抗原アナログ（抗原特異的抗体分泌用）のいずれかで標識することによるフローサイトメトリーを使用して、抗体産生細胞を同定及び計数することができる。そのような分割した試料の残りの部分で産生された特異的及び／又は非特異的抗体の量は、従来のイムノアッセイ技術を使用して定量化することができる。細胞計数の結果、並びに産生された特異的及び/又は非特異的抗体量の結果は、別々に評価するか、又は、まとめて、細胞の数及び産生される免疫グロブリンの量の両方を表す値が得られる。
【００２７】
特定の抗原に対する、分泌抗体を検出するためのアッセイの例示的な実施形態では、試験プレートのウェルは、目的の抗原でコーティングされる。免疫グロブリン分泌細胞（例えば、ワクチン製剤の希釈物で処理された脾臓細胞）を、前記プレートに加え、分泌抗体が前記細胞に近位する抗原コーティングプレートの部分と複合体を形成するのに十分な時間インキュベートする。洗浄工程の後、検出可能な標識（例えば、ホースラディッシュペルオキシダーゼ、アルカリホスファターゼ、フルオロフォアなど）を担持する、前記分泌抗体種に対する二次抗体が、前記プレートに加えられ、固定化された前記抗原を介して前記プレートに結合された前記分泌抗体と、複合体を形成させる。更なる洗浄工程の後、前記標識を視覚化することができ（例えば、沈殿可能な発色基質の添加又は適切な光周波数での励起により）、特異的抗体分泌が発生する部位を計数する。計数は、手動又は画像認識ソフトウェアにより実行可能である。
【００２８】
総分泌抗体（すなわち、抗原特異的及び非特異的の両方）を検出するためのアッセイの例示的な実施形態では、試験プレートのウェルは、前記免疫グロブリン種に対する抗体（例えば、抗マウスＩｇＧ）でコーティングされる。免疫グロブリン分泌細胞（例えば、ワクチン製剤の希釈物で処理された脾臓細胞）を前記プレートに加え、分泌された抗体が前記細胞に近位する抗体コーティングプレートの部分と複合体を形成するのに十分な時間インキュベートする。洗浄工程の後、検出可能な標識（例えば、ホースラディッシュペルオキシダーゼ、アルカリホスファターゼ、フルオロフォアなど）を担持する、前記分泌免疫グロブリン種に対する二次抗体が前記プレートに加えられ、固定化された前記抗種抗体を介して前記プレートに結合された前記分泌抗体と複合体を形成させる。更なる洗浄工程の後、前記標識を視覚化することができ（例えば、沈殿可能な発色基質の添加又は適切な光周波数での励起により）、特異的抗体分泌が発生する部位を計数する。計数は、手動又は画像認識ソフトウェアにより実行可能である。
【００２９】
そのようなアッセイシステムで生成される検出可能なシグナルは、分泌細胞の計数を容易にするために局在化され得る。そのような局在シグナルは、蛍光、リン光、ルミネッセンス、放射性核種による発光、及び／又は少なくとも部分的に不溶性の生成物（例えば、発色団又はフルオロフォア）の酵素的生成を含む、任意の適切な手段により生成することができる。細胞の近くのシグナルの局在化は、その細胞による、アッセイされた特性を有する抗体の分泌として解釈することができる。このような細胞は、手動で、又は自動システムを使用して決定可能である。
【００３０】
いくつかの実施形態において、抗原特異的抗体及び非特異的抗体の分泌は、重複する試験表面／プレートを使用して決定され得る。他の実施形態では、抗原特異的抗体及び非特異的抗体の分泌は、識別可能な標識を利用することにより、同一の試験表面を使用して決定され得る。例えば、抗原特異的抗体の分泌は、前記試験表面で実施される抗原特異的アッセイに関連する第１のフルオロフォアを使用して特性決定することができ、抗体の分泌（抗原特異的又はその他）は、第２のフルオロフォアを使用して決定され得、ここで前記第２のフルオロフォアは、前記第１のフルオロフォアと分別可能であり、前記試験表面で実行される種特異的イムノアッセイと関連付けられる。前記第１のフルオロフォアからの発光の特性決定により、抗原特異的抗体を分泌する細胞の特性決定が可能であり、前記第２のフルオロフォアからの発光の特性決定により、抗体を分泌するすべての細胞の特性決定が可能である。非特異的抗体を分泌する細胞の数は、これらの値の間の差により決定可能である。
【００３１】
上記のように、本発明概念の方法は、特定のワクチン種に限定されない。適切なワクチンは、ウイルス、細菌、真菌、自己免疫疾患に関連する、及び／又は腫瘍性の抗原を対象にし得る。本発明概念の方法が対象とし得るワクチンの例には、アデノウイルス、炭疽病、ボツリヌス中毒症、コレラ、ジフテリア、Ａ型肝炎、Ｂ型肝炎、Ｃ型肝炎、ヘモフィルス・インフルエンザｂ型菌、ヒト乳頭腫ウイルス、季節性インフルエンザ、日本脳炎、はしか、髄膜炎菌、流行性耳下腺炎、百日咳、肺炎球菌、ポリオ、狂犬病、ロタウイルス、風疹、帯状疱疹、天然痘、破傷風、結核、腸チフス、水痘、及び／又は黄熱病を対象とするワクチンなどの、予防用ワクチンが含まれる。本発明概念の方法が対象とし得るワクチンのさらなる例には、グリア芽腫、子宮頸癌、皮膚癌、肺癌、乳癌、頭頸部癌、膵臓癌、セリアック病、及び／又は外陰膣カンジダ症を対象とするワクチンなどの治療用ワクチンが含まれる。
【００３２】
試験されるワクチン製剤は、多価（すなわち、１つを超えるワクチン抗原を組み込む）であってもよい。例としては、小児ＭＭＲワクチン製剤、ボツリヌス症ワクチン、季節性インフルエンザを対象としたワクチン（一般的に、いくつかの異なるウイルス株に関連するウイルス抗原を組み込む）が挙げられる。いくつかの実施形態では、多価ワクチン製剤の各成分抗原種に対する応答は、異なる試験表面又は試験表面のセットを使用して決定され得る。他の実施形態では、多価ワクチン製剤の異なる抗原に対する応答は、共通の試験表面又は試験表面のセットを使用して特性決定され得る。例えば、第１ワクチン抗原及び第２ワクチン抗原を組み込む多価ワクチン製剤の特性決定を行う際に、第１ワクチン抗原と第２ワクチン抗原との両方に対する抗体を担持する試験表面が提供され得る。前記試験表面を第１及び第２抗原（又はそのアナログ）で処理すると、前記試験表面上に第１及び第２の抗体：抗原複合体が形成される。第１ワクチン抗原に対する抗体の分泌により、抗体：第１の抗原：抗体複合体として前記分泌細胞に近位するそれらの抗体が捕捉される。同様に、第２のワクチン抗原に対する抗体の分泌により、抗体：第２の抗原：抗体複合体として前記分泌細胞に近位するそれらの抗体が捕捉される。分別可能な標識の使用により、共通の試験表面を利用する、そのような複合体の別個の同定、及び第１のワクチン抗原に対する抗体を分泌する第１セットの細胞と、第２のワクチン抗原に対する抗体を分泌する第２セットの細胞との同定を可能にする。いくつかの実施形態において、非特異的抗体を分泌する細胞は、第３の識別可能な標識を使用して、上記と同一の試験表面上で決定され得る。
【００３３】
ワクチン製剤の抗原性及び／又は効力は、参照ワクチンで得られる結果と、上記の１つ以上のアッセイを使用して試験又は未知のワクチン製剤で得られる結果とを比較することによって決定することができる。例えば、参照ワクチンの一連の希釈物（例えば、段階希釈物）、及び試験ワクチンから調製される希釈物の類似又は同一のセットを調製し、上記のように脾臓細胞及び／又はＢ細胞に適用することができる。非特異的抗体を分泌する細胞に対する抗原特異的抗体を分泌する細胞の数は、前記参照ワクチンと前記試験ワクチンとの両方のこれらの希釈物の１つ以上について決定でき、結果を比較できる。好ましい実施形態では、抗原特異的抗体分泌細胞の数と非特異的抗体分泌細胞の数との間の比率を、そのような比較の基礎として使用することができる。そのような比較は、任意の適切な方法、例えば、それぞれの希釈：応答曲線の平行線分析により実行可能である。
【００３４】
参照ワクチンと、１つ以上の試験ワクチンとの間の結果は、任意の適切な手段により比較することができ、参照ワクチンの結果と試験ワクチンの結果との間の対応により、基準に合う効力が示される。例えば、参照ワクチンと試験ワクチンとの半数−最大応答（ＥＣ５０など）に対応する希釈を、比較できる。好ましい実施形態では、２つ以上の希釈物からのデータの関数（例えば、光学密度 対 希釈）が、参照ワクチン及び試験ワクチンについて得られ、前記関数が比較される。例えば、第１の傾きは、参照ワクチンの様々な希釈を表す２つ以上のデータポイント間に引かれた線について決定され得、第２の傾きは、試験ワクチンの様々な希釈を表す２つ以上のデータポイント間に引かれた線に対して決定され得、次いで、前記第１の傾きと前記第２の傾きとを比較して、それらが平行である度合いを決定する（例えば、平行線分析により）。平行性からの有意な乖離（例えば、約５％から、１０％、１５％、２０％、又は２５％の傾きにおける差異）は、ワクチン組成物の試験ロットと参照ロットとの間の効力における有意差を示すことができる。傾きの間の差が許容範囲内であることが判明した場合、それらが互いからずれる度合いを鑑みることができる。例えば、試験及び参照ワクチン組成物の用量応答曲線の導出された線が本質的に平行であることが見出された場合、約０．２倍、０．５倍、０．８倍、１倍、１．２倍、１．５倍、１．８倍、２倍、２．５倍以上の希釈を超える、前記用量応答曲線の希釈軸（通常はｘ軸）に沿ったずれは、試験組成物と参照組成物との間の効力における有意差を示すことができる。効力におけるそのような差は、試験ワクチン製剤の受容性及び／又は投薬（ｄｏｓｉｎｇ）希釈を決定するために使用され得る。
【００３５】
いくつかの実施形態では、そのような用量／応答曲線は、試験される希釈物の一部に亘って非線形であり得、その場合、非線形データに適した代替関数（例えば、４ＰＬ又は５ＰＬフィットを介する最大応答の半分での瞬時勾配など）が利用可能である。あるいは、半数−最大応答を生成するワクチン製剤の最小希釈を選択し、許容基準として使用することができる。
【００３６】
本発明概念のいくつかの実施形態において、ワクチン効力アッセイは、免疫付与（ｉｍｍｕｎｉｚａｔｉｏｎ）に対する二次応答を実証する細胞ベースのアッセイに基づいてもよい。そのような実施形態では、多くの動物（例えば、マウス、ウサギ、モルモットなど）がワクチン（既知の効力の参照ワクチンなど）で免疫化され、前記免疫化された動物から脾臓細胞及び／又はＢ細胞が単離されて、一次感作細胞の集団が提供される。このような一次感作細胞は、生きている動物から直接入手して使用してもよい。他の実施形態では、一次感作細胞を収集して凍結し、次いで使用前に解凍してもよい。いくつかの実施形態では、収集された脾臓細胞内のＢ細胞集団は富化される。他の実施形態では、１つ以上の特異的細胞集団（例えば、形質細胞）は、枯渇させられ得る。
【００３７】
一次感作細胞のそのような調製物は、特異的及び／又は非特異的免疫応答を引き出すために、試験ワクチンの一連の希釈物で処理可能である。いくつかの実施形態において、既知の効力の参照ワクチンの希釈物が、並行して試験され得る。免疫応答は、上記のようにして特性決定できる。例えば、前記ワクチン製剤の特定の抗原及び免疫グロブリン種を対象とするＥＬＩＳＰＯＴ及び同様のアッセイを実施して、それぞれ特異的及び非特異的応答を決定することができる。典型的な抗体プラークイムノアッセイが、図１に概略的に示される。抗体プラークイムノアッセイの典型的な結果を、図２に示す。
【００３８】
いくつかの実施形態では、一次感作細胞は、そのようなアッセイに適用する前に、前記試験ワクチンで処理され得る。他の実施形態では、前記一次感作細胞は、前記アッセイの実施時又はアッセイの実施中（例えば、抗体プラークイムノアッセイプレートのウェルへの一次感作細胞の分配後）に、前記試験ワクチンで処理され得る。特異的及び非特異的Ｉｇ分泌細胞の計数とそれに続く用量／応答曲線の生成により、前記試験ワクチンの効力を測定することができる。例えば、既知の効力の参照ワクチンの同様の希釈物との比較により、試験ワクチンの効力を相対的に測定することができる。ｄｅ ｎｏｖｏ一次応答を表すものではないが、本発明者らは、特性決定される二次応答が、ワクチンの効力との同様の関連性を有すると考える。
【００３９】
いくつかのワクチン製剤は、前記免疫化抗原の一部又はすべてが、アジュバント固体の表面にコーティングされるか、又は結合されるように製剤化される。水酸化アルミニウムヒドロゲル及びＣｐＧオリゴヌクレオチドは、そのようなアジュバントの例であり、広く使用される（例えば、炭疽菌ワクチンにおいて）。そのようなワクチン製剤の特性決定目的で、前記アッセイ中の、アクセス性を改善するため及び／又は拡散を促進するために、前記一次感作細胞への適用前に、前記免疫化抗原を、前記アジュバントから溶出又は遊離してもよい（例えば、競合する高分子との置換、ｐＨシフト、電気的溶出などを通して）。他の実施形態では、そのようなワクチン製剤は、処方された通りに試験することができる。
【００４０】
本発明概念の方法の一例では、マウス（又はモルモット）に、炭疽菌ワクチンの参照バッチで免疫化し、感作された脾臓細胞を生成する。次いで、脾臓細胞が、前記免疫化された動物から単離され、いくつかの実施形態では、特定のＢ細胞集団が、富化される。脾臓細胞（富化又は枯渇され得る）は、酵素結合免疫スポット（ＥＬＩＳｐｏｔ）などの抗体プラークイムノアッセイで使用するために調製された９６ウェルプレートに、プレーティングされる。いくつかの実施形態において、前記脾臓細胞は、抗体プラークイムノアッセイプレート又は同様の技法に導入される前に、試験ワクチン又は参照ワクチンのいずれかの希釈物で再活性化される。他の実施形態では、前記脾臓細胞は、抗体プラークイムノアッセイプレート又は同様の技法への導入時又は導入後に再活性化される。１セットのプレートは、抗原特異的免疫グロブリン分泌を測定するように構成されてもよい（例えば、１つ以上の免疫化抗原でコーティングすることにより）。第２セットのプレートは、総（特異的及び非特異的）免疫グロブリン（Ｉｇ）分泌を測定するように構成されてもよい（例えば、１つ以上のＩｇ特異的抗体でコーティングすることにより）。次いで、ワクチン試験試料の段階希釈物が、参照ワクチン試料の段階希釈物とともに、前記細胞を含む前記プレートに適用される。あるいは、脾臓細胞（又は分離株）は、前記抗体プラークイムノアッセイプレートへの適用の前に、試験ワクチン及び参照ワクチンの希釈物とともにインキュベートされ得る。次いで、前記プレートは、ワクチン製剤が前記脾臓細胞と相互作用するのに十分な時間インキュベートされ、Ｉｇの分泌をもたらす特異的及び／又は非特異的免疫応答を活性化する。
【００４１】
Ｉｇ分泌細胞の数は、ワクチンの有効量と相関しており、これは、ワクチン効力の関数でもある。前記アッセイが完了すると、手動又は自動化された方法を使用して、ウェルごとの抗原特異的及び非特異的の両方又は無し（ｏｒ ｎｏｔ）の、Ｉｇ分泌細胞の数がカウントされる。抗原特異的Ｉｇも、非特異的抗体プラークイムノアッセイプレートにより同定されるので、非特異的に活性化される細胞の数は、非特異的抗体プラークイムノアッセイプレートと抗原特異的抗体プラークイムノアッセイプレートとの間の数の差によって表されることを理解されたい。用量応答曲線（例えば、Ｉｇ分泌細胞の数 対 ワクチン用量）は、前記試験試料及び前記参照試料用に作成される。次いで、前記試験試料及び前記参照試料の用量応答曲線は、適切な方程式でモデル化でき（例えば、４−ＰＬ又は５−ＰＬ非対称曲線フィット）、平行線法を使用して前記試験の相対的な効力を算出することができる。
【実施例】
【００４２】
ワクチン効力を決定するための脾臓細胞アッセイのための例示的なプロトコルが、図３に示される。図３の左側に示されるように、そのような試験プロトコルにおいて、マウスは前記ワクチン抗原（例えば、ＨｃＲ／Ａ）で免疫化され、次いで脾臓細胞が、採取される脾臓から単離される。前記脾臓細胞からＣＤ１３８陽性細胞を枯渇させ（例えば、市販のキットを使用して）、前記脾臓細胞を等分し凍結して、細胞バンクを生成する。前記アッセイを実施するために（図３の右側に示されるように）、前記細胞バンクからの細胞が、解凍され、次いで、参照抗原（例えば、参照ワクチン）及び試験抗原（例えば、評価中のワクチン製剤）の段階希釈物への曝露によって再活性化される。再活性化に続いて、前記細胞によって分泌される抗原特異的及び全種特異的抗体を、特性決定する。この例では、抗原特異的及びＩｇＧ特異的抗体プラークイムノアッセイプレートを使用して特性決定を行う。前記試験ウェル内のスポットの数及び/又は密度が記録され、前記対照及び試験抗原調製物に関する用量／応答曲線が生成される。これらの用量応答曲線が比較され（例えば、平行線分析によって）、前記対照抗原調製物に対する前記試験抗原調製物の効力を測定できる。
【００４３】
図４Ａは、ＨｃＲ／Ａ抗原についてのＥＬＩＳｐｏｔ試験プレートの画像を示す。脾臓細胞がＨｃＲ／Ａに反応するウェルは、前記細胞の位置で、離散的な高光学密度のスポットを示す。これらは、高濃度／低希釈でほぼコンフルエントになる。これらのスポットの数及び／又は密度は、図４Ｂに示されるように、定量化され、適用される調製物を含むＨｃＲ／Ａ抗原の希釈物と比較され得る。示されているように、用量応答曲線では、より大きな細胞密度でより大きなダイナミックレンジがもたらされる。図４Ｃは、５×１０４細胞のコーティング密度で得られる前記用量応答曲線をより詳細に示し、算出されたＥＣ５０及び相対的な効力に関して試験（ＴＳ）及び参照（ＳＣ）抗原調製物間で比較ができる。
【００４４】
上記のように、ワクチン製剤によって生成される免疫応答の特性決定では、抗原特異的抗体の産生と、特定のタイプの抗体の総産生に対して産生される抗原特異的抗体の割合との両方に関して特性決定され得る。従って、ワクチンの効力をより十分に特性決定するために、抗原特異的及び抗体特異的抗体プラークイムノアッセイプレート又は同様の技術が、バンクされる脾臓細胞と並んで、適用され得る。様々な脾臓細胞コーティング密度を組み込む抗体プラークイムノアッセイプレートレイアウトの一例を、図５Ａに示す。図５Ｂは、前記脾臓細胞からのＩｇＧ分泌が視覚化されている、上記のように調製される抗体プラークイムノアッセイプレートの画像を示す。図５Ｃは、前記脾臓細胞からのＨｃＲ／Ａ特異的抗体分泌が視覚化される、上記のように調製される抗体プラークイムノアッセイプレートの画像を示す。図５Ｄは、５×１０４細胞／ウェルでコーティングされ１００ｐＭ抗原で刺激される脾臓細胞によりＨｃＲ／Ａ特異的抗体が分泌される、抗体プラークイムノアッセイプレートの個別のウェルの拡大図を示す。上記のように、用量応答曲線は、抗原特異的応答及び抗体種応答のいずれか又は両方について導き出すことができる。図５Ｅは、図５Ａで示されるように調製される抗体プラークイムノアッセイプレートから得られ、ＩｇＧ分泌について特性決定された、用量応答曲線を示す。図５Ｆは、図５Ａに示されるように調製される抗体プラークイムノアッセイプレートから得られ、ＨｃＲ／Ａ特異的抗体分泌について特性決定された、用量応答曲線を示す。
【００４５】
本発明概念のワクチン効力アッセイの他の例が、図６Ａ〜６Ｅに示される。これらの試験では、ＳｔｅｍＣｅｌｌＴｅｃｈｎｏｌｏｇｉｅｓ（商標）ＰＥ選択キット及び抗ＣＤ１３８、ＰＥ標識抗体を使用して、ＲＢＣ溶解脾臓細胞は、ＣＤ１３８陽性細胞を枯渇させた後、インキュベーションプレートのウェルあたり７．５×１０５細胞で懸濁した。抗原調製物を希釈して前記プレートに適用し、次いでそれを３７℃及び５％ＣＯ２で４８時間インキュベートした。２日目にＰＶＤＦプレートを４０μｇ／ｍＬ ＨｃＲ／Ａ又は２０μｇ／ｍＬ抗マウスＩｇＧで４℃にて一晩コーティングすることにより調製し、次いでＥＬ４−Ｂ５培地で３７℃及び５％ＣＯ２で２時間ブロッキングした。３日目に活性化脾臓細胞を前記インキュベーションプレートから回収し、１ｍＬあたり１０６細胞で再懸濁し、前記ブロッキングされたＰＶＤＦプレートに、１ウェルあたり５×１０４又は２．５×１０４細胞でピペットにて加え、３７℃、５％ＣＯ２で一晩インキュベートした。４日目に、ＰＢＳ（３×）及びＰＢＳＴ（３×）で洗浄することにより、細胞を前記ＰＶＤＦプレートから取り出した。次いで、前記ＰＶＤＦプレートを、８０μＬ／ウェルの１：５，０００抗マウスＩｇＧ−ＨＲＰとともに４℃で８時間インキュベートした。前記プレートをＰＢＳ−Ｔ（３×）及びＰＢＳ（３×）で洗浄した後、１００μＬのＡＥＣ沈殿性基質を各ウェルに加え、周囲温度で５分間インキュベートした。前記プレートを水道水で洗浄し、画像の取得と分析の前に暗所で一晩乾燥させることにより、反応を停止させた。図６Ａは、そのような研究のための例示的なプレートレイアウトを示す。
【００４６】
図６Ｂは、活性化脾臓細胞からのＩｇＧ分泌を特性決定するために使用される（すなわち、抗マウスＩｇＧでコーティングされる）典型的なプレートの画像を示し、ここで前記プレートの内容物は、図６Ａに示されるように配置される。図６Ｃは、同一の方法で配置されるプレートからの活性化脾臓細胞によるＨｃＲ／Ａ抗原特異的抗体分泌を特性決定するために使用される典型的なプレートについて得られる、同様の画像を示す。
【００４７】
上記のように、ＩｇＧ応答及び抗原特異的応答の両方に関する効力が、そのような画像からのスポット数及び／又は密度の定量化によって特性決定され得る。図６Ｄは、前記抗原調製物の希釈物に対する用量応答曲線、算出されたＥＣ５０、及び算出された相対的な効力（図６Ａに示されるようなプレートレイアウトを使用して特性決定された活性化脾臓細胞のＩｇＧ応答に対する）を示す。図６Ｅは、前記抗原調製物の希釈物に対する用量応答曲線、算出されたＥＣ５０、及び算出された相対的な効力（図６Ａに示されるようなプレートレイアウトを使用して特性決定された活性化脾臓細胞のＨＲＣ／Ａ特異的抗体応答に対する）を示す。
【００４８】
図７Ａ〜７Ｅは、Ｃ１３８枯渇脾臓細胞が１ｍＬあたり１０６、７．５×１０５、又は５×１０５細胞で、抗原希釈物で活性化される、図６Ａ〜６Ｅについて上記で説明した通り実施された試験の結果を示す。使用したプレートフォーマットを、図７Ａに示す。
【００４９】
図７Ｂは、活性化脾臓細胞からのＩｇＧ分泌を特性決定するために使用される（すなわち、抗マウスＩｇＧでコーティングされる）典型的な抗体プラークイムノアッセイプレートの画像を示し、前記プレートの内容物は、図７Ａに示されるように配置される。図７Ｃは、同一の方法で配置されるプレートからの活性化脾臓細胞による、ＨｃＲ／Ａ抗原特異的抗体分泌を特性決定するために使用される典型的な抗体プラークイムノアッセイプレートに対して得られる同様の画像を示す。
【００５０】
上記のように、ＩｇＧ応答及び抗原特異的応答の両方に関する効力は、そのような画像からのスポット数及び／又は密度の定量化により特性決定され得る。図７Ｄは、前記抗原調製物の希釈物に対する用量応答曲線、算出されたＥＣ５０、及び算出された相対効力（様々な脾臓細胞濃度で活性化され、図７Ａに示されるような抗体プラークイムノアッセイプレートレイアウトを使用して特性決定された脾臓細胞のＩｇＧ応答に対する）を示す。図７Ｅは、前記抗原調製物の希釈物に対する用量応答曲線、算出されたＥＣ５０、及び算出された相対効力（様々な濃度で活性化され、図７Ａに示されるような抗体プラークイムノアッセイプレートレイアウトを使用して特性決定された脾臓細胞のＨｃＲ／Ａ特異的抗体応答に対する）を示す。
【００５１】
上記の実施例は、総ＩｇＧ分泌及び抗原特異的抗体分泌のために別個の抗体プラークイムノアッセイプレートを利用したが、いくつかの実施形態において、そのような測定は、異なる標識と組み合わせた同一の試験ウェル内での免疫グロブリン特異的及び抗原特異的二次抗体の使用によって、単一の抗体プラークイムノアッセイプレートから得られることを理解されたい。同様に、ＨＲＰコンジュゲートを検出目的で利用したが、代替酵素（例えば、アルカリホスファターゼ）、フルオロフォア、発色団、ルミフォア（ｌｕｍｉｐｈｏｒｅ）、コロイド金、及び／又は染色微小粒子を含む他の検出可能な標識が利用され得ることを理解されたい。
【００５２】
本明細書における本発明の概念から逸脱することなく、すでに記載されたもの以外の更に多くの修正が可能であることは、当業者に明らかであるはずである。従って、本発明の主題は、添付の請求項の趣旨を除いて限定されるべきではない。更に、明細書及び請求項の両方を解釈する際には、すべての用語は、文脈と一致する可能な限り広い方法で解釈されるべきである。特に、「含む（ｃｏｍｐｒｉｓｅｓ）」及び「含む（ｃｏｍｐｒｉｓｉｎｇ）」という用語は、非排他的に要素、コンポーネント、又は工程を参照すると解釈されるべきであり、参照される要素、コンポーネント、又は工程が存在するか、又は利用されるか、又は明示的に参照されていない他の要素、コンポーネント、又は工程と組み合わされ得ることを示す。明細書の請求項がＡ、Ｂ、Ｃ．．．．及びＮで構成されるグループから選択されたものの少なくとも1つに言及している場合、テキストは、ＡプラスＮ、又はＢプラスＮなどではなく、前記グループから１つの要素のみを要件とするものとして解釈されるべきである。
【図１】
2021522476.tif 000003
【図２】
2021522476.tif 000004
【図３】
2021522476.tif 000005
【図４Ａ】
2021522476.tif 000006
【図４Ｂ】
2021522476.tif 000007
【図４Ｃ】
2021522476.tif 000008
【図５Ａ】
2021522476.tif 000009
【図５Ｂ】
2021522476.tif 000010
【図５Ｃ】
2021522476.tif 000011
【図５Ｄ】
2021522476.tif 000012
【図５Ｅ】
2021522476.tif 000013
【図５Ｆ】
2021522476.tif 000014
【図６Ａ】
2021522476.tif 000015
【図６Ｂ】
2021522476.tif 000016
【図６Ｃ】
2021522476.tif 000017
【図６Ｄ】
2021522476.tif 000018
【図６Ｅ】
2021522476.tif 000019
【図７Ａ】
2021522476.tif 000020
【図７Ｂ】
2021522476.tif 000021
【図７Ｃ】
2021522476.tif 000022
【図７Ｄ】
2021522476.tif 000023
【図７Ｅ】
2021522476.tif 000024
【国際調査報告】
2021522476.tif 000025
2021522476.tif 000026
2021522476.tif 000027
2021522476.tif 000028
2021522476.tif 000029
2021522476.tif 000030